(57)【特許請求の範囲】
【請求項１】
飲料の調製中にカプセルから前記飲料の原材料を抽出するための抽出ユニットを備える飲料調製マシンのカプセル処理ユニットであって、
コードリーダ及びコード読み取り機構を備えるコード読み取りシステムであって、前記コード読み取り機構は、コードリーダとカプセルの間に相対回転移動を付与することにより、前記コードリーダによるカプセルのコードの読み取りを生じさせるように構成されている、コード読み取りシステムと、
カプセルの前記抽出ユニットへの移動を生じさせるように構成されているカプセル移送機構と、
前記コードを読み取るように前記コード読み取りシステムを作動させ、前記カプセルの移送を生じさせるように前記カプセル移送機構を作動させる、単一の作動装置ユニットと
を備える、カプセル処理ユニット。
【請求項２】
前記コード読み取り機構及びカプセル移送機構は、前記コードの前記読み取りを生じさせるべく、前記作動装置ユニットにより第１方向に移動されるように構成されており、前記カプセルの前記移送を生じさせるべく、前記作動装置ユニットにより第２方向に移動されるように構成されている、請求項１に記載のカプセル処理ユニット。
【請求項３】
前記作動装置ユニットは、回転運動により、前記コード読み取り機構及びカプセル移送機構を作動させる、請求項１又は２に記載のカプセル処理ユニット。
【請求項４】
前記コード読み取り機構は、前記コードリーダとカプセルとの間に、カプセル回転軸線を中心とした相対回転移動を付与することにより、前記コードの読み取りを生じさせるように構成されている、請求項１〜３のいずれか一項に記載のカプセル処理ユニット。
【請求項５】
前記コード読み取り機構は、カプセル回転駆動部材を備えており、前記カプセル回転駆動部材は、前記作動装置ユニットにより回転運動させられるように動作可能であり、前記回転運動をカプセルに付与するように動作可能である、請求項３又は４に記載のカプセル処理ユニット。
【請求項６】
前記カプセル移送機構は、移動可能なカプセル支持体を備えており、前記移動可能なカプセル支持体は、カプセル支持体駆動機構によってカプセル支持位置とカプセル移送位置との間で作動される、請求項１〜５のいずれか一項に記載のカプセル処理ユニット。
【請求項７】
前記カプセル支持体駆動機構は、カプセル支持体作動部材、及び作動部材駆動機構を備えており、前記カプセル支持体作動部材は、前記移動可能なカプセル支持体と動作可能に接続され、前記作動部材駆動機構は、前記カプセル支持体作動部材と動作可能に接続され、前記作動部材駆動機構は、前記カプセル支持体作動部材を作動させて、前記移動可能なカプセル支持体を前記カプセル支持位置と前記カプセル移送位置との間で移動させるように動作可能である、請求項６に記載のカプセル処理ユニット。
【請求項８】
前記カプセル支持体作動部材は、基端において前記移動可能なカプセル支持体と動作可能に接続され、末端において前記カプセル処理ユニットの本体と枢動可能に接続されている、第１アームを備える、請求項７に記載のカプセル処理ユニット。
【請求項９】
前記カプセル支持体作動部材は、基端において前記移動可能なカプセル支持体の第２部分と接続され、末端において前記本体に枢動可能に接続されている、第２アームを備えており、前記第１アームの前記基端は、前記移動可能なカプセル支持体の第１部分に接続され、前記第１及び第２アームは、対応する回転運動を前記アームの間で伝達するように構成されているトルク伝達手段によって動作可能に連結され、前記第１部分は、前記カプセル支持位置及び前記カプセル移送位置を実現するように、前記カプセル支持体作動部材によって前記第２部分に対して移動可能である、請求項８に記載のカプセル処理ユニット。
【請求項１０】
前記作動部材駆動機構は、一方向クラッチ、クランク、及び接続部材を有するドライブトレーンを含み、前記ドライブトレーンは、前記作動装置ユニットに動作可能に連結され、前記一方向クラッチは、前記作動装置ユニットが第２方向のみに回転運動をもたらすときに、回転運動を前記クランクに伝達するように構成され、前記接続部材は、前記クランクの回転によって、前記移動可能なカプセル支持体の、前記カプセル支持位置と前記カプセル移送位置との間の移動が生じるように、前記カプセル支持体作動部材及び前記クランクと動作可能に接続されている、請求項７〜９のいずれか一項に記載のカプセル処理ユニット。
【請求項１１】
前記移動可能なカプセル支持体上のカプセルの存在を検出するように構成されている１つ以上のセンサから成る第１構成と、前記カプセルの種類を判定するために、前記カプセルの一部分の形状特性を検出するように構成されている１つ以上のセンサから成る第２構成とを備える、カプセル検出システムを更に備える、請求項６〜１０のいずれか一項に記載のカプセル処理ユニット。
【請求項１２】
飲料の調製中にカプセルから前記飲料の原材料を抽出するように動作可能な抽出ユニットと、
前記抽出ユニットに流体を供給するように動作可能な流体供給源と、
請求項１〜１１のいずれか一項に記載のカプセル処理ユニットとを備える、飲料調製マシン。
【請求項１３】
前記コードを読み取るように前記コード読み取りシステムを作動させ、前記カプセルの移送を生じさせるように前記カプセル移送機構を作動させるべく、前記作動装置ユニットを制御するように動作可能な制御システムを更に備え、前記制御システムは、前記コードを読み取るように前記コード読み取りシステムを作動させるべく、前記作動装置ユニットを第１方向に動かすように制御するように動作可能であるとともに、前記カプセルの移送を生じさせるように前記カプセル移送機構を作動させるべく、前記作動装置ユニットを第２方向に動かすように制御するように動作可能である、請求項１２に記載の飲料調製マシン。
【請求項１４】
前記コードリーダは、コード信号により処理ユニットと通信し、前記処理ユニットは、前記コード信号からの抽出情報を判定するように動作可能であり、前記処理ユニットは、前記判定された抽出情報の少なくとも一部を使用して、前記流体供給源及び／又は前記抽出ユニットを制御するように更に動作可能であり、かつ／又は前記判定された抽出情報の少なくとも一部が、カプセル消費、及び／又は前記飲料調製マシンの使用をモニタリングするために、メモリユニットに保存されている、請求項１２又は１３に記載の飲料調製マシン。
【請求項１５】
請求項１〜１１のいずれか一項に記載のカプセル処理ユニットでカプセルを処理する方法であって、
前記作動装置ユニットにより前記コード読み取りシステムを作動させてカプセルのコードを読み取らせる工程と、
前記作動装置ユニットにより前記カプセル移送機構を作動させて前記カプセルを前記抽出ユニットへと移送させる工程と
を含む、方法。
【請求項１６】
請求項１〜１１のいずれか一項に記載のカプセル処理ユニット又は請求項１２〜１４のいずれか一項に記載の飲料調製マシンのカプセル処理ユニットによって処理を行うための、カプセルの使用。
【発明の詳細な説明】
【技術分野】
【０００１】
本発明は、飲料を調製するためのシステムに関し、システムは、飲料調製マシン及びカプセルを備え、飲料調製マシンは、飲料の調製中に、カプセルから飲料の原材料を抽出するための抽出ユニットを備える。より具体的には、本発明は、このような飲料調製マシンのカプセル処理ユニットに関する。カプセル処理ユニットは、カプセルを抽出ユニットに移送し、カプセルのコードを読むように動作可能であり、コードは、カプセルに関する動作パラメータなどの抽出情報をエンコードし、この抽出情報は、抽出中にマシンによってデコード及び使用される。
【背景技術】
【０００２】
飲料調製のため、ますます多くのマシンが、例えば、コーヒー、紅茶、又はスープなどの、飲料の原材料の投与量を含む、カプセルを使用して動作するように構成されている。調製中、マシンの抽出ユニットは、例えば、溶解により、少なくとも部分的に原材料をカプセルから抽出する。このようなマシンの例は、欧州特許第２３９３４０４（Ａ１）号、同第２４７００５３（Ａ１）号、同第２５３３６７２（Ａ１）号、同第２５０９４７３（Ａ１）号、同第２６８５８７４（Ａ１）号に提示されている。これらのマシンの人気の高まりは部分的に、例えば、ストーブトップエスプレッソメーカー、又は手動で動作するカフェティエ（フレンチプレス）など、従来的な飲料調製マシンよりも高いユーザ利便性に起因し得る。これはまた部分的に、マシンの改善された淹出プロセスに起因する場合があり、カプセルは抽出チャンバに挿入され、熱湯がカプセル内に作製された入口に注入され、カプセル内の原材料は、カプセルに作製された出口を通じて熱湯によって抽出され、淹出された飲料が出口の熱湯から回収される。このプロセスの間、マシンの処理パラメータは、飲料の味を向上させるために、内部の特定のカプセル、及び／又は特定の原材料に合わせられてもよい。例えば、動作パラメータは、入口及び出口における水温、予備湿潤の持続時間、水の流量、水量、淹出プロセス中における他の動作を含み得る。このように、淹出プロセスが最適化される。
【０００３】
したがって、飲料調製マシンにこのような動作パラメータを提供することが必要である。カプセル上／内にこれらの動作パラメータに関する抽出情報を保存し、そこから抽出情報を読み取るための、様々なコード及びコード読み取りシステムが開発されている。米国特許公報第２００２／００４８６２１（Ａ１）号に一実施例が提示されており、カプセルの表面は抽出情報をエンコードするバーコードを備え、対応するコード読み取りシステムがバーコードリーダを含んでいる。仏国特許第２９１２１２４号に更なる実施例が提示されており、カプセルは、ＲＦＩＤコードを備える。ＲＦＩＤは、適用された磁場に応答して、高周波電磁場として抽出情報を送信し、対応するコード読み取りシステムは、高周波電磁場読み取りシステムを備える。欧州特許第２５９４１７１（Ａ１）号になお更なる実施例が提示され、カプセルのフランジの周辺部がそこに配置されたコードを含んでいる。記号のシーケンスを備えるコード自体は、カプセルの回転軸線を中心として、製造中にカプセルに印刷される。対応するコード読み取りシステムは、回転軸線を中心にカプセルを回転させるための機構、及び静止光学リーダを備える。
【０００４】
抽出ユニットへと移送するために、ユーザによりマシンに供給されるカプセルを処理することも必要である。したがって、様々なカプセル移送機構が開発されてきた。国際特許公報第２０１２１２６９７１号に実施例が提示されており、ユーザは、回転部材のチャネルにカプセルを配置する。その後回転部材が回転して抽出ユニットチャネルと位置合わせし、この点においてカプセルは抽出ユニットチャネル、及び抽出ユニット内へと移送され得る。国際特許公報第２０１４０５６６４２号に更なる実施例が提示されており、ユーザは、カプセル支持部材が受容位置にあるときにこれにカプセルを配置する。その後、カプセル支持部材は、カプセル抽出ユニットへと移送することができる移送位置へと、カプセルを回転移動させる。国際特許公報第２０１４０５６６４１号になお更なる実施例が提示されており、一実施形態により、ユーザは、カプセル支持部材が受容位置にあるときにこれにカプセルを配置する。その後、カプセル支持部材は、カプセルを抽出ユニットへと移送することができる移送位置へと、回転しながら広がる。
【０００５】
上記のカプセル移送機構及びコード読み取りシステムの欠点は、組み合わせたときに、飲料調製マシンに含めるにあたり、比較的複雑で、大きく、高価であるということである。
【発明の概要】
【発明が解決しようとする課題】
【０００６】
本発明の目的は、カプセルのコードを読み取り、カプセルを抽出ユニットに移送するように動作可能であり、比較的費用効果の高いカプセル処理ユニットを提供することである。
【０００７】
本発明の目的は、カプセルのコードを読み取り、カプセルを抽出ユニットに移送するように動作可能であり、比較的小型であるカプセル処理ユニットを提供することである。
【０００８】
カプセルのコードを読み取り、カプセルを抽出ユニットに移送するように動作可能であり、複雑でないカプセル処理ユニットを提供することである。
【０００９】
異なる大きさのカプセルを処理するように動作可能である、カプセル処理ユニットを提供することが有利である。
【００１０】
特に、カプセルのコードの読み取りに関して信頼性のある、カプセル処理ユニットを提供することが有利である。
【００１１】
安全かつ便利に使用できる、カプセル処理ユニットを提供することが有利である。
【課題を解決するための手段】
【００１２】
本発明の目的は、請求項１に記載のカプセル処理ユニット、請求項１７に記載の飲料調製ユニット、並びに請求項２４及び２５に記載の方法により達成される。
【００１３】
飲料の調製中に、カプセルから飲料の原材料を抽出するための抽出ユニットを備える飲料調製マシンのカプセル処理ユニットが、本発明の第１態様に従い、本明細書において開示される。カプセル処理ユニットは、コードリーダ及びコード読み取り機構を備えるコード読み取りシステムであって、コード読み取り機構は、コードリーダとカプセルの間に相対移動（例えば、コードの読み取りの間）を付与することにより、コードリーダによるカプセルのコードの読み取りを生じさせるように構成されている、コード読み取りシステムと、カプセルの抽出ユニットへの移送（例えば、更なる機構によらない完全な移送）を生じさせるように構成されているカプセル移送機構と、コードを読み取らせるようにコード読み取りシステムを作動させ、カプセルの移送を生じるようにカプセル移送機構を作動させる、作動装置ユニットとを備える。作動装置ユニットは、単一の作動装置を備え、例えば、更なる騒動装置を必要とせずに、単一の作動装置がコード読み取り機構及びカプセル移送機構の両方を完全に作動させる。カプセルは一般的に、カプセルのコードを読み取り、その後カプセルを移送するように処理されている。
【００１４】
したがって、カプセル処理ユニットは、これが単一の作動装置ユニットを使用してカプセルのコードを読み取り、上記カプセルを抽出ユニットへと移送するように動作可能であるので、費用効果が高いため、本発明の目的は解決される。更に、単一の作動装置ユニットが使用されるため、カプセル処理ユニットは比較的小型であり、複雑でない。
【００１５】
コード読み取り機構及びカプセル移送機構は、上記コードの読み取りを生じるべく、作動装置ユニットにより第１方向に移動されるように構成され、上記カプセルの移送を生じるべく、作動装置ユニットにより第２方向に移動されるように構成され得る。コード読み取りシステム及びカプセル移送機構は、作動装置ユニットに動作可能に連結されるドライブトレーンを備え得る。作動装置ユニットは、回転運動により、コード読み取り機構及びカプセル移送機構を作動してもよい。
【００１６】
コード読み取り機構は、コードリーダと、カプセルとの間に相対回転移動を付与することによって、コードの読み取りを生じるように構成され得る。回転移動は、典型的には対称な回転軸線である、カプセル回転軸線を中心とし得る。コード読み取り機構は、カプセルのコードリーダに対する相対回転移動を付与することによって、コードの読み取りを生じるように構成されてもよく、コードリーダは、これが固定位置に保持されるように、カプセル処理ユニットの本体に接続される（例えば、中間部材を介して）。コード読み取り機構は、カプセル回転駆動部材を含んでもよく、このカプセル回転駆動部材は、作動装置ユニットにより回転運動させられるように動作可能であり、上記回転運動をカプセルに付与するように動作可能である。カプセル回転駆動部材は、上記回転運動を付与するために、カプセルの様々な部分、例えばフランジ部分（例えば、フランジの周辺部）、本体部分、蓋部分と係合するように配置されてもよい。カプセルは、重力によってカプセル回転駆動部材と接触した状態で保持されてもよい。
【００１７】
コードリーダは、特定の、カプセル上のコードの形成によって、選択される、様々なリーダを備え得る。例えば、カプセルの金属部分上にエンボス加工されたコードに関して、リーダは誘導性センサであり得、カプセルに印刷されるコードに関し、リーダは光学センサであり得る。
【００１８】
カプセル移送機構は典型的には、カプセルの、抽出ユニットのカプセル挿入チャネルへと移送を生じることにより（例えば、挿入チャネルへの移送を防ぐ移動可能なカプセル支持体などの拘束具の除去により；カプセルの挿入チャネルへの移動を生じることにより）、カプセルの抽出ユニットへの移送を生じるように構成されている。
【００１９】
カプセル移送機構は、カプセル支持体駆動機構によって、カプセル支持位置と、カプセル移送位置との間で作動される（例えば、回転により）、移動可能なカプセル支持体（例えば、カプセルがその上に位置する支持体）を備え得る。カプセル支持体駆動機構は、カプセル支持体作動部材、及び作動部材駆動機構を備えることがあり、カプセル支持体作動部材は、移動可能なカプセル支持体と動作可能に接続され、作動部材駆動機構は、カプセル支持体作動部材と動作可能に接続され、作動部材駆動機構は、カプセル支持体作動部材を作動して、移動可能なカプセル支持体を上記カプセル支持位置と、上記カプセル移送位置との間で移動させるように動作可能である。
【００２０】
カプセル支持体作動部材は、基端において移動可能なカプセル支持体と動作可能に接続し、末端において飲料マシン、又はカプセル支持ユニットの本体と枢動可能に接続されている、第１アームを備え得る。
【００２１】
カプセル支持体作動部材は、基端において移動可能なカプセル支持体の第２部分と動作可能に接続され、末端において本体に枢動可能に接続されている、第２アームを備えてもよく、第１アームの基端は、移動可能なカプセル支持体の第１部分に接続され、第１及び第２アームは、対応する回転運動をアームの間で伝達するように構成されたトルク伝達手段によって動作可能に連結され、第１部分は、上記カプセル支持位置及びカプセル移送位置を実現するように、カプセル支持体作動部材によって、第２部分に対して移動可能である。作動部材駆動機構は、一方向クラッチ、クランク、及び接続部材を有するドライブトレーンを備えてもよく、ドライブトレーンは作動装置ユニットに動作可能に連結され、一方向クラッチは、作動装置ユニットが第２方向のみに回転運動をもたらすときに、回転運動をクランクに伝達するように構成され、接続部材は、クランクの回転によって、移動可能なカプセル支持体の、上記カプセル支持位置と、カプセル移送位置との間の移動が生じるように、作動部材及びクランクと動作可能に接続されている。
【００２２】
カプセル処理ユニットは更に移動可能な支持体システムを備え、移動可能な支持体システムは、基端においてカプセル処理ユニットの本体へと枢動可能に支持された移動可能な支持体と、移動可能な支持体を、移動可能なカプセル支持体の位置に対応する、カプセル支持位置と、カプセル移送位置との間で駆動するように動作可能な移動可能な支持体駆動機構とを備え、移動可能な支持体にはコード読み取りシステムが取り付けられており、カプセル回転駆動部材が、対応するカプセル支持位置と、カプセル移送位置との間で移動するように動作可能になっている。作動装置ユニット、及びカプセル移送機構など、カプセル処理ユニットの他の構成要素が、移動可能な支持体の上に支持されていてもよい。移動可能な支持体駆動機構は、作動装置ユニットにより回転運動させられるように、作動装置ユニットに動作可能に接続されたカムと、カプセル処理ユニットの本体と接続されたカム係合部材とを備え、カム及びカム係合部材は、それらの係合が、カプセル支持位置とカプセル移送位置との間における移動可能な支持体の移動を生じさせるように構成されている。
【００２３】
カプセル処理ユニットは、カプセル処理ユニットの移動可能なカプセル支持体上のカプセルの存在を検出するために配置された１つ以上のセンサを備えるカプセル検出システムを備え得る。好ましくは、センサは、誘導性センサであるが、光学センサ、又はこれらの組み合わせなど、他の好適なセンサも使用され得る。
【００２４】
カプセル検出システムは、移動可能なカプセル支持体上のカプセルの存在を検出するように構成された、１つ以上のセンサから成る第１構成と、カプセルの種類を判定するために、カプセルの一部分の形状特性を検出するように構成された１つ以上のセンサから成る第２構成とを備え得る。検出された形状特性は、カプセルの一部分（例えば、本体部分）の長さ、例えば、蓋部分（フランジ部分）から本体部分の空洞の基部への軸方向長さであり得る。１つ以上のセンサから成る第１及び第２構成は、互いに少なくとも１ｃｍ離間するように配置され得る。更に、センサの１つは、コード読み取りシステムのコードリーダを備え得る。センサの第１構成は、移動可能なカプセル支持体の第１部分に１つのセンサが、第２部分に１つのセンサがあるように構成されてもよい。カプセルの一部分の存在を検出するために、複数のセンサを有することは有利であるがこれは、この部分が変形してその存在が単一のセンサでは正確に検出できない場合があるためである。
【００２５】
飲料の調製中に、カプセルから飲料の原材料を抽出するように動作可能である抽出ユニットと、抽出ユニットに流体を供給するように動作可能な流体供給源と、第１態様のいずれかの特徴によるカプセル処理ユニットとを備える飲料調製マシンが、本発明の第２態様に従い、本明細書において開示される。
【００２６】
飲料調製マシンは、コードを読み取るようにコード読み取りシステムを作動させ、カプセルの移送を生じさせるようにカプセル移送機構を作動させるべく、作動装置ユニットを制御するように動作可能な制御システムを備え得る。制御システムは、コードを読み取るようにコード読み取りシステムを作動させるべく、作動装置ユニットを第１方向に動かすように制御するように、カプセルの移送を生じさせるようにカプセル移送機構を作動させるべく、作動装置ユニットを第２方向に動かすように制御するように、動作可能であり得る。
【００２７】
制御システムは、処理ユニットを備えることがあり、処理ユニットは、コード読み取りシステム、及びカプセル移送システムを制御するべく、作動装置ユニットを制御するように動作可能である。カプセル検出システムのセンサは、センサ信号により通信していてもよい。
【００２８】
処理ユニットは、上記センサ信号からカプセルが存在するかどうかを判定し、カプセルが存在する場合は、コード読み取りシステムを使用して、検出されたカプセルのコードの読み取りを生じさせ、カプセル移送機構を使用して、上記カプセルの抽出ユニットへの移送を生じさせるように、動作可能であり得る（例えば、好適なプログラムコードを備える）。
【００２９】
処理ユニットは、第１センサ構成からの信号がカプセルを示しており、かつ第２センサ構成からの信号が第１の種類のカプセルを示している場合、第１の種類のカプセルが検出され、あるいは、第２センサ構成からの信号が第２の種類のカプセルを示している場合、第２の種類のカプセルが検出され、検出された第１又は第２の種類のカプセルを、すなわち、作動装置ユニットを制御してカプセル移送機構を作動させることにより、抽出ユニットへと移送するように、動作可能であり得る（例えば、これは好適なプログラムコードを備える）。
【００３０】
構成された第２センサからの信号は、第１センサ構成がカプセルの存在を示すときのみ考慮され得る。あるいは、カプセルは、第１及び第２構成の両方からの信号が、カプセルの存在を示すときのみ、存在すると考えられ得る。
【００３１】
処理ユニットは、第１センサ構成からの信号がカプセルの検出を示さない場合、例えば、第１センサ構成がカプセルが存在しないことを示すが、第２センサ構成がカプセルの存在を示すときに、カプセルが存在しないか、又は不適切なカプセルが存在することを判定するように、動作可能であり得る（例えば、好適なプログラムコードを備える）。センサ信号は、信号の不在や、ベースライン信号が変わらないことにより、カプセルの不在を示してもよい。更に、例えば、カプセルがセンサ付近で変形しているときなど、第１センサ構成が複数のセンサを備え、センサの全てがカプセルの存在を示していないときに、不適切なカプセルが判定されてもよい。
【００３２】
処理ユニットは、対応するカプセルの種類が検出されるときに、（すなわち、コード読み取りシステムを制御することにより）第２及び／又は第１の種類のカプセルのコードの読み取りを生じさせるように動作可能であり得る（例えば、好適なプログラムコードを備える）。コードが適切に読み取られると、第１及び／又は第２カプセル種類に関して、カプセルは移送されてもよく、あるいはカプセルは、コードを読み取られることなく移送されてもよい。
【００３３】
処理ユニットは、検出されるカプセルの種類に関する情報を使用して、流体供給源及び／又は抽出ユニットを制御するように動作可能であり得る（例えば、好適なプログラムコードを備える）。例えば、第１の種類のカプセルが検出されると、上記構成要素を制御するために、処理ユニットのメモリユニットに保存されている第１種類のカプセルに関する情報が使用され、第２種類のカプセルが検出されると、上記構成要素を制御するために、処理ユニットのメモリユニットに保存される第２種類のカプセルに関する情報が使用される。情報は例えば、水体積、温度、淹出時間、他の関連する動作パラメータのうちの１つ以上を含み得る。
【００３４】
コード読み取りシステムのコードリーダは、コード信号により、処理ユニットと通信していてもよく、処理ユニットは、コード信号からの抽出情報を判定するように動作可能であり得る（例えば、好適なプログラムコードを備える）。処理ユニットは、判定された抽出情報の少なくとも一部を使用して、流体供給源及び／又は抽出ユニットを制御するように更に動作可能であり（例えば、好適なプログラムコードを備える）、かつ／又は判定された抽出情報の少なくとも一部が、カプセル消費、及び／又は飲料調製マシンの使用をモニタリングするために、メモリユニットに保存される。
【００３５】
第１態様のいずれかの特徴を備えるカプセル処理ユニットを備えるカプセルを処理する方法が、本発明の第３態様に従い、本明細書において開示され、この方法は、作動装置ユニットによりコード読み取りシステムを作動させてカプセルのコードを読み取らせる工程と、作動装置ユニットによりカプセル移送機構を作動させてカプセルを抽出ユニットへと移送させる工程とを含む。
【００３６】
第１態様のいずれかの特徴を含む飲料調製マシンにより飲料を調製する方法が、本発明の第４態様により、本明細書において開示され、方法は、第３態様の方法によりカプセルを処理する工程と、抽出ユニット及び流体供給源を制御して、カプセルから飲料の原材料を抽出する工程とを含む。
【００３７】
上記の態様のいずれかによる、カプセル処理ユニット、又は飲料調製マシンのための、カプセルの使用が、本発明の第５態様により、本明細書において開示される。
【００３８】
本発明の上記の態様は、任意の適切な組み合わせで組み合わせることができる。更に、本明細書に記載した様々な特徴は、具体的に図示して説明した組み合わせとは異なる組み合わせを提供するために、上記の態様の１つ以上と組み合わされ得る。本発明の更に他の目的及び有利な特徴は、特許請求の範囲、詳細な説明、及び添付の図面から明らかになるであろう。
【００３９】
本発明をよりよく理解し、その実施形態が、どのように実行され得るかを示すために、例として以下の添付の図面が参照される。
【図面の簡単な説明】
【００４０】
【図１】本発明による飲料調製マシン、カプセル、及び容器を備える飲料調製システムの例示的な図である。
【図２】図１による飲料調製マシンのコード読み取り機構の第１実施形態の斜視図を示している。
【図３】飲料調製マシンのコード読み取り機構の第２実施形態の例示的な断面図である。
【図４】飲料調製マシンのコード読み取り機構の第３実施形態の斜視図である。
【図５】カプセル支持位置にある、図１による飲料調製マシンのカプセル移送機構の正面図である。
【図６】カプセル移送位置にある、図１の飲料調製マシンのカプセル移送機構の正面図である。
【図７】図５によるカプセル移送機構の一部の斜視図である。
【図８】図５及び６によるカプセル移送機構の作動部材駆動機構の斜視図である。
【図９】図５及び６によるカプセル移送機構の移動可能な支持体システムの平面図である。
【図１０】図１による飲料調製マシンのカプセル検出システムの斜視下面図である。
【図１１】図１による飲料調製マシンの制御システムのブロック図である。
【図１２】図１による飲料調製システムのカプセルの一実施形態の側断面図である。
【図１３】図１による飲料調製システムの別のカプセルの一実施形態の側断面図である。
【図１４】カプセルのコードを示す、図１２のカプセルの斜視図である。
【発明を実施するための形態】
【００４１】
飲料調製システム
図１は、第１レベルにおいて、飲料調製マシン４、カプセル６、容器８を備える飲料調製システム２の例示的な図を示している。
【００４２】
飲料調製マシン
図１を更に参照し、最初に飲料調製マシン４が記載される。機能上、飲料調製マシン４は、カプセルに流体を注入することによりカプセル６から１つ以上の原材料を抽出するように、動作可能である。抽出された原材料は、容器８（例えば、カップ）に回収される飲料の少なくとも一部を形成する。一般的に、飲料調製マシン４は、調理台で使用するための大きさである（すなわち、長さ、幅、及び高さが５０ｃｍ未満）好適な飲料調製マシン４の例は、欧州特許第２３９３４０４（Ａ１）号、同第２４７００５３（Ａ１）号、同第２５３３６７２（Ａ１）号、同第２５０９４７３（Ａ１）号、同第２６８５８７４（Ａ１）号に提示されており、これら全てが本明細書において参照として組み込まれる。補足として、このような飲料調製マシン４がここでより詳細に記載され、飲料調製マシン４の第１レベルにおいて、ハウジング１０、流体供給部１２、抽出ユニット１４、カプセル処理ユニット１６、制御システム１８を備えるものと考えられる。これらの構成要素は、順に記載される。
【００４３】
ハウジング
ハウジング１０は、上記の第１レベルの構成要素を収容及び支持し、飲料調製マシン４の第２レベルにおいて基部２０及び本体２２を備える。基部２０は、支持表面と当接している。本体２２は、他の第１レベルの構成要素を取り付けるためのものである。
【００４４】
流体供給部
流体供給部１２は、一般的には加熱される水で流体を抽出ユニット１４に供給するように動作可能である。流体供給部１２は典型的には、飲料調製マシン４の第２レベルにおいてほとんどの用途において１〜２リットルの流体である、流体を収容するリザーバなどのリザーバ２４、往復又は回転ポンプなどの流体ポンプ２６、サーモブロックタイプ加熱器を一般的に備える流体加熱器２８、抽出ユニット１４（以下に記載される）に流体を供給するための出口を備える。リザーバ２４、流体ポンプ２６、流体加熱器２８、及び出口は、任意の好適な順序で互いに流体連通し、流体供給回路を形成する。別の実施例において、流体供給部１２は、外部流体供給源（例えば、水道）への接続を含み得る。
【００４５】
抽出ユニット
抽出ユニット１４は、そこから原材料を抽出するために、カプセル６を受容及び処理するように動作可能である。抽出ユニット１４は典型的には、飲料調製マシン４の第２レベルにおいて、注入ヘッド３０、カプセルホルダ３２、カプセルホルダ装填機構３４、カプセル挿入チャネル３６、カプセル放出チャネル３８を備え、これらは順に記載される。
【００４６】
注入ヘッド３０は、カプセルホルダ３２により保持されるときに、カプセル６の空洞に流体を注入するように構成され、かつこの目的のために、流体供給源１２と流体連通した注入器４０が取り付けられている。注入ヘッド３０は、一般的にランセット、又は他の好適な部材を備え、カプセル６を穿孔して上記空洞への入口を形成するために、これを通じて注入器４０が延びている。
【００４７】
カプセルホルダ３２は、抽出中にカプセルを保持し、この目的のために注入ヘッド３０と動作可能に連結されている。カプセルホルダ３２は、カプセル受容位置と、カプセル抽出位置との間で移動するように動作可能であり、カプセルホルダ３２がカプセル受容位置にあるとき、カプセル６は、カプセル挿入チャネル３６からカプセルホルダ３２へと供給され得、カプセルホルダ３２がカプセル抽出位置にあるとき、供給されたカプセルはカプセルホルダによって保持され、注入ヘッド３０が保持されたカプセル内に流体を注入することができ、１つ以上の原材料がここから抽出される。カプセルホルダ３２が、カプセル抽出位置と、受容位置との間で移動しているとき、使い終わったカプセルは、カプセル放出チャネル３８を介してカプセルホルダ３２から放出され得る。参照される実施例において、カプセルホルダ３２は、取り付けられた注入ヘッド３０からなる空洞基部４４を備える空洞４２と、抽出される材料のための出口４８を有する抽出壁部４６とを備える。抽出壁部４６及び空洞は、カプセル受容位置、及びカプセル抽出位置を実現するように、互いに対して移動可能である。別の実施例において、空洞は、抽出壁部に固定することができ、注入ヘッドは、カプセル受容位置及びカプセル抽出位置を実現するように空洞に対して移動可能である。このようなシステムの実施例は、国際特許公報２００９／１１３０３５号に提示され、これは本明細書において参照として組み込まれる。
【００４８】
カプセルホルダ装填機構３４は、カプセル受容位置と、カプセル抽出位置との間でカプセルホルダ３２を駆動するように動作可能である。この目的のため、カプセルホルダ装填機構３４は、典型的にはモーター又はソレノイドなどの線形作動装置、及びラック及びピニオン構成などの作動可能な機構を備える。カプセルホルダ装填機構３４はあるいは、例えば、国際特許公報第２００９／１１３０３５号に開示される、連結具の構成によって、機械的に作動させることができる。
【００４９】
抽出ユニット１４は、例示される実施例におけるように、圧力下で流体をカプセル６の空洞内へと注入することによって動作し得る。これはまた、本明細書において参照として組み込まれる、欧州特許第２５９４１７１（Ａ１）号に開示される構成により動作し得る。
【００５０】
カプセル処理ユニット
カプセル処理ユニット１６は、コード信号を提供するために、その上のコードを読み取るべく、カプセル６を処理するように動作可能であり、カプセル６を抽出ユニット１４へと移送するように更に動作可能である。一般的に、カプセル処理ユニット１６は、抽出ユニット１４の上に配置され、その様々なサブ構成要素が取り付けられた飲料調製マシン４の本体２２の一部として一体化されている。しかしながら、カプセル処理ユニット１６は、あるいは分離可能なユニットであってもよく、例えばこれは、様々なサブ構成要素が取り付けられた別個の本体を備え、本体は、カプセルが抽出ユニット１４に移送されるように構成されている。カプセル処理ユニット１６は、飲料調製マシン４の第２レベルにおいて、コード読み取りシステム５０、カプセル移送機構６４、作動装置ユニット１１２、任意によりカプセル検出システム１７０を備え、これらは順に説明される。
【００５１】
カプセル処理ユニットのコード読み取りシステム
コード読み取りシステム５０は、コードリーダ５２、及びコード読み取り機構５４を備える。コードリーダ５２は、コードリーダ５２の読み取りヘッドと、カプセルのコードとの間で相対移動する間に、コードを読み取らせるように構成されている。コード読み取り機構５４は、上記相対移動を生じさせるように動作可能であり、コードリーダ５２の後に記載される。コードリーダ５２は、コード信号を生じさせるために、カプセル６のコードを読み取らせるように動作可能である。生成されたコード信号は、アナログ又はデジタルのいずれかであり得る（例えば、コードリーダ５２は、デジタル変換のための、ＡＳＩＣを備える）。コードリーダ５２は、特定の、カプセル上のコードの構成に従って選択される、様々なリーダを備え得る。例えば、カプセルの金属部分上にエンボス加工されたコードに関して、リーダは誘導性センサであり得、カプセルに印刷されるコードに関し、リーダは光学センサであり得る。好適な導電センサの実施例は、ＰＯＳＩＣセンサ（ｗｗｗ．ｐｏｓｉｃ．ｃｈ）参照番号ＩＤ１３０１  ０００００２である。このようなセンサでは、好ましい読み取り構成は、コードからセンサへの相対速度が０．１３７／ｓ、エンボス深さ０．３ｍｍであり、読み取り距離が０．５ｍｍである。好適な誘導性センサの更なる例は、ＴｅｘａｓＬＤＣ１０００シリーズセンサである。好適な光学センサの例は、光学インパルスを電気インパルスに変換するように動作可能な、光源、レンズ、及び光センサである。
【００５２】
図１は、コードリーダ５２が、誘電性センサを備える実施例を示している。誘電性センサは、カプセル６の本体部分の空洞の基部付近に読み取りヘッドを備え、カプセルの回転軸線に位置合わせされた読み取りヘッドを備えるように構成されている。コードリーダ５２の特定の構成は、カプセル６上のコードの構成、及びその読まれ方によって変化することが理解される。
【００５３】
コード読み取り機構５４は、コードリーダ５２に対して移動するようにカプセルを変位させるか、又はカプセルに対して移動するようにコードリーダ５２を変位させることによって、コードリーダ５２の読み取りヘッドと、カプセルのコードとの間に上記相対移動をもたらすように動作可能である。両方の場合において、相対移動は、コードがカプセルの回転軸線を中心として構成される、回転移動、コードがカプセルの軸線に沿って構成されている、往復移動であり得る。このようなコード読み取り機構の例がここで提示される。
【００５４】
図１及び図２に示されるコード読み取り機構５４の好ましい第１実施形態において、コード読み取り機構５４は、コードリーダ５２に対して動くようにカプセル６を変位させるように動作可能である。特に、コード読み取り機構５４は、カプセルの回転軸線を中心に回転するように、カプセル６を駆動させるように動作可能である。この目的のため、コード読み取り機構５４は、カプセル回転駆動部材５８、及び１つ以上の歯車を備え得る任意のドライブトレーン６０を備え、カプセル回転駆動部材５８は、ドライブトレーン６０を介して作動装置ユニット１１２（図１及び図２に図示されない）によって駆動される。カプセル回転駆動部材５８は、カプセル６を回転駆動させるために、カプセル６の一部分と係合するように構成されている。この実施例において、カプセル６の係合部分は、フランジ部分であるが、他の実施例においては、カプセル６の他の部分が、カプセル回転駆動部材５８と係合してもよい。この実施例において、カプセル回転駆動部材５８は、作動装置ユニット１１２が、ドライブトレーン６０を第１方向に回転させるときに、反時計方向に回転される。
【００５５】
図３に示されるコード読み取り機構５４の第２実施形態において、コード読み取り機構５４は、コードリーダ５２に対して動くようにカプセル６を変位させるように動作可能である。特に、コード読み取り機構５４は、カプセルの回転軸線に沿って往復運動するように、カプセル６を駆動するように動作可能である。この目的のため、コード読み取り機構５４は、ユーザからカプセルを受容し、このカプセルを支持するためのカプセル支持チャネル１１６と、直接的に（例えば、作動装置ユニット１１２が線形作動装置である場合）、又はクランクシャフトを備え得る歯車トレーン（例えば、作動装置ユニット１１２が回転作動装置である場合）を介して、作動装置ユニット１１２によって駆動されるカプセル作動部材１１４とを備える。コードリーダ５２はカプセル支持チャネル１１６の一部分に接続され、カプセル作動部材１１４は、カプセルのコードの読み取りを生じさせるために、カプセル支持チャネル１１６に沿ってカプセル６を駆動するように動作可能である。
【００５６】
コード読み取り機構５４の第３実施形態において、コード読み取り機構５４は、第１実施形態のコード読み取り機構５４のものと同様の構成を備えるが、コードリーダ５２がカプセルに対して移動するように変位させるように動作可能である。特に、コード読み取り機構５４は、カプセルの回転軸線を中心に回転するように、コードリーダ５２を駆動するように動作可能である。この目的のため、図４に示されるように、コード読み取り機構５４は、コードリーダ５２が取り付けられた、コードリーダ回転駆動部材１７８を備える。コードリーダ回転駆動部材１７８は、ドライブトレーンを介して作動装置ユニット１１２により駆動される（両方とも図４に示されていない）。コードリーダ回転駆動部材１７８は、コードを備えるカプセルの一部分（例えば、回転軸線）を中心に回転するように構成されている。
【００５７】
コード読み取り機構５４の第４実施形態において、コード読み取り機構５４は、第２実施形態のコード読み取り機構５４のものと同様の構成を備えるが、コードリーダ５２がカプセルに対して移動するように変位させるように動作可能である。特に、コード読み取り機構５４は、カプセルの回転軸線に沿って並進運動するように、コードリーダ５２を駆動するように動作可能である。この目的のため、コード読み取り機構５４は、直接的に（例えば、作動装置ユニット１１２が線形作動装置である場合）、又はクランクシャフトを備え得る歯車トレーン（例えば、作動装置ユニット１１２が回転作動装置である場合）を介して、作動装置ユニット１１２によって駆動されるコードリーダ作動機構を備える。
【００５８】
コード読み取り機構５４の第１及び第３実施形態に関して、図１及び図２を再び参照し、コード読み取り機構５４は、読み取りサイクル信号を提供するように動作可能な、読み取りサイクルセンサ６２を更に備え得る。読み取りサイクル信号は、得られるコード信号の部分に含まれるコードの完全な読み取りの回数である、読み取りサイクルの数を判定するための情報を備える。読み取りサイクルセンサ６２は例えば、作動装置ユニット１１２、又はドライブトレーン６０の他の部分の各回転において、読み取りサイクル信号内の１つ以上のパルスを提供するように動作可能なスイッチ及びスイッチ作動装置であり得る。
【００５９】
カプセル処理ユニットのカプセル移送機構
カプセル移送機構６４がここで記載され、処理されたカプセルを抽出ユニット１４（例えば、カプセル挿入チャネル３６を介して）に移送するように動作可能である。この目的のため、これは、抽出ユニット１４とは別個に、及びその上に配置される。カプセル移送機構６４は、例えば、カプセルを拘束する拘束具を除去すること、又はカプセルをカプセル挿入チャネル３６へと変位させることによって、カプセルの移送を生じさせることができ、これらは以下に記載される。
【００６０】
第１又は第３実施形態のコード読み取り機構５４と共に使用するためのものである、図１、５、６、７、８及び９に示されるカプセル移送機構６４の好ましい第１実施形態において、カプセル移送機構６４は、移動可能なカプセル支持体６６、カプセル支持体駆動機構１２４を備え、これらは以下に記載される。
【００６１】
移動可能なカプセル支持体６６は、ユーザからカプセルを受容するように構成され、かつ上部に支持されるカプセルを抽出ユニット１４へと移送させるために、本体２２に対して移動可能である。より具体的に、これはカプセル支持位置（図５、７）と、カプセル移送位置（図６）との間で移動可能であり、カプセル支持位置にあるときには、カプセル６のコードはコード読み取りシステム５０によって読み取ることができ、カプセル移送位置にあるときは、支持されているカプセル６の抽出ユニット１４への移送が生じる。移動可能なカプセル支持体６６は、カプセル支持体駆動機構１２４によって各位置の間で駆動され、その後作動装置ユニット１１２によって駆動され、これは以下に記載される。
【００６２】
図５、６、及び７に示される実施例において、移動可能なカプセル支持体６６は、第１部分１４２及び第２部分１４４から形成され、これらは、カプセル移送位置を生じさせるために、カプセル支持位置から分離可能である。移動可能なカプセル支持体６６は更に、内部にカプセルのフランジを位置づけるための環状の溝と、これに隣接するように配置されたカプセル本体支持部とを備え得る。カプセル支持体６６は好ましくは、様々な形状のカプセルを支持するように構成されている。
【００６３】
カプセル支持体駆動機構１２４は、カプセル支持体作動部材１２６と、作動部材駆動機構１３４とを備え、これらは以下に記載される。
【００６４】
特に、図５、６、及び７を参照し、カプセル支持体作動部材１２６は、第１アーム１２８及び第２アーム１３０を備え、これらは、カプセル支持位置とカプセル移送位置との間で、移動可能なカプセル支持体６６を作動させるために移動可能である。この目的のため、第１アーム１２８、及び第２アーム１３０は、そこから実質的に垂直に延びる移動可能なカプセル支持体６６に接続された基端と、移動可能なカプセル支持体６６の上記垂直な延長部に対してほぼ位置合わせされた、枢動軸線を中心として、本体２２に枢動可能に接続された（例えば、中間部材を介して）末端とを有する。より具体的に、第１アーム１２８は、基端で移動可能なカプセル支持体６６の第１部分１４２に接続され、第２アーム１３０は基端で移動可能なカプセル支持体６６の第２部分１４４に接続され、第１アーム１２８は末端で本体２２のアーム支持体に枢動可能に接続され、第２アーム１３０は末端で本体２２のアーム支持体に枢動可能に接続され、アーム１２８、１３０は、枢動軸線とほぼ垂直な平面内の枢動支持体を中心に枢動する。
【００６５】
アーム１２８、１３０の基端は、アーム間の対応する回転運動を伝達するように構成されているトルク伝達手段によって動作可能に連結されている。例示的な図において、トルク伝達手段１３２は、末端の湾曲した周辺部の周囲に構成されている噛み合う歯を備えるが、摩擦連結など他の手段も使用され得る。更に、トルク伝達手段１３２はあるいは、基端の遠位に構成されてもよい（例えば、枢動支持体を備えるシャフトの端部にある噛み合う歯として）。
【００６６】
カプセル支持体作動部材１２６は、作動部材駆動機構１３４によって、上記カプセル支持位置とカプセル移送位置との間で駆動される。作動部材駆動機構１３４は、接続部材１３６、クランク１３８、ドライブトレーン１４６を備える。図５、６、及び８を参照し、ドライブトレーン１４６は、歯車１４８、一方向クラッチ１５０（例えば、フリーホイール、オーバーランニング、若しくはスプラグ変形形態）を備える。一方向クラッチ１５０は、歯車１４８によって、作動装置ユニット１１２に動作可能に連結される。一方向クラッチ１５０は、一方向（代表的な図では時計方向）にのみ回転を生じさせるようにクランク１３８にトルクが伝達されるように構成されている。
【００６７】
クランク１３８が上記方向に回転すると、クランク１３８のアームは、接続部材１３６の基端でクランク１３８と枢動可能に接続している接続部材１３６に往復運動を付与する。接続部材１３６の末端は、カプセル支持体作動部材１２６の第１アーム１２８の基端に配置されている延長部に対して枢動可能に接続されている（しかしながら、接続部材１３６は、アームの他の部分に接続されてもよいことが理解される）。したがって、接続部材１３６に付与された往復運動は更に、カプセル支持体作動部材１２６に付与され、これが上記カプセル支持位置と、カプセル移送位置との間で駆動される。したがって、クランク１３８が半分回転すると、移動可能なカプセル支持体６６は、カプセル支持位置からカプセル移送位置へと移動することができ、クランク１３８の更に半分の同じ方向の（又は反対方向の）回転により、移動可能なカプセル支持体６６はカプセル支持位置からカプセル移送位置へと移動する。カプセル支持体作動部材１２６に付与される適切な往復運動のために、接続部材は、その基端と末端との間で湾曲されてもよく、その間の一部分が、第１アーム１２８の延長部の停止部と係合するように構成されている。
【００６８】
アーム１２８、１３０は、付勢部材により、上記カプセル支持位置、及びカプセル移送位置の一方に付勢され得る。図５及び図６を参照し、基端が第２アーム１３０の基端に取り付けられるように構成され、かつ末端が本体２２に接続される（例えば、中間部材を介して）ように構成された引きバネ１５２を備える。したがって、本明細書においてアーム１２８、１３０は、カプセル支持位置へと付勢される。
【００６９】
アーム１２８、１３０は任意により、ガイド部材１５４により上記カプセル支持位置とカプセル移送位置との間で案内されてもよい。図５を参照し、ガイド部材１５４は延長部を含んでもよく、これはアーム１２８、１３０の基端から延び、本体２２の対応するチャネル内で摺動するか、又はこれと接続されている（例えば、中間部材を介して）。
【００７０】
第１実施形態のコード読み取り機構５４が、第１実施形態のカプセル移送機構６４と組み合わされて、カプセル６が抽出ユニット１４に移送されるのが可能になると、上記移動可能なカプセル支持体６６に加えて、カプセル処理ユニット１６の様々な構成要素が、対応するカプセル支持位置と、カプセル移送位置との間で移動し得る。
【００７１】
代表的な実施形態において、作動部材駆動機構１３４、作動装置ユニット１１２、コード読み取り機構５４は、コード読み取り機構５４のカプセル回転駆動部材５８が、上記カプセル移送位置まで後退するのを可能にするように、移動可能である。この目的のため、カプセル処理ユニット１６は更に移動可能な支持体システム１５６を備えてもよく、これは、図６及び図９を参照して、移動可能な支持体１５８、及び移動可能な支持体駆動機構１６０を備える。移動可能な支持体１５８は、基端に、本体２２への枢動接続を備える（例えば、中間部材を介して）。移動可能な支持体駆動機構１６０は、対応するカプセル支持位置と、カプセル移送位置との間で移動可能な支持体１５８を駆動するように動作可能である。一実施例において、移動可能な支持体駆動機構１６０は、枢動部の近位にカム１６８、及びカム係合部材１６２を備える。カム１６８は、作動部材駆動機構１３４に、及び例示される実施例においてクランク１３８に、回転可能に接続されている。カム係合部材１６２は、本体２２（又はこれに接続される中間部材）の一部である。カム１６８の外形は、これがカム係合部材１６２に対して回転すると、移動可能な支持体１５８の上記対応するカプセル支持位置とカプセル移送位置との間での移動を生じるように、構成されている。カム１６８は好ましくは、カム付勢部材１６４により、付勢してカム係合部材１６２と係合する。移動可能な支持体１５８には、作動部材駆動機構１３４、作動装置ユニット１１２、コード読み取り機構５４（すなわち、カプセル回転駆動部材５８に動作可能に接続された構成要素）が取り付けられている。
【００７２】
更なる実施形態において（図示されない）カプセル回転駆動部材５８のみが動いている。このような実施形態において、カプセル回転駆動部材５８は、上記移動可能な支持体駆動機構１６０によって駆動される、上記移動可能な支持体システム１５６に取り付けられている。カプセル回転駆動部材５８は、ドライブトレーン６０及びカプセル回転駆動部材５８が摩擦結合により回転可能に連結されるように構成することによって、ドライブトレーン６０と係合離脱及び再係合することができる（この結合は、上記の移動の間に離れるように変位する）。
【００７３】
作動部材駆動機構１３４は、位置信号を提供するように動作可能な、位置センサを更に備え得る。位置信号は、作動部材駆動機構１３４の構成要素、又はこれに接続された構成要素（例えば、移動可能なカプセル支持体６６）の位置を判定するための情報を備える。一実施例において、図８に示されるように、位置センサ１６６は、クランク１３８に回転可能に接続されたカムにより作動されるスイッチを備え、クランクの回転ごとに位置信号の１つ以上のパルスを提供する。
【００７４】
作動部材駆動機構１３４及び第１又は第３実施形態のコード読み取り機構５４は、上記作動装置ユニット１１２の第１方向の回転が、コード読み取り機構５４のカプセル回転駆動部材５８を回転させて、コードの読み取りを行うように、動作可能に連結されている。しかしながら、一方向クラッチ１５０は、上記回転をクランク１３８、及びしたがって移動可能なカプセル支持体６６から分離するように機能する。しかしながら、作動装置ユニット１１２の第２方向の回転は一方向クラッチ１５０を介してクランク１３８に伝達されて、上記カプセル支持位置とカプセル移送位置との間の、移動可能なカプセル支持体６６の移動を生じる。第１実施形態のコード読み取り機構５４に関して、作動装置ユニット１１２の第２方向の回転はまた、カプセル回転駆動部材５８の逆方向の回転を生じることに留意すべきであるが、これは、上記移動可能な支持体システム１５６により後退させられ得るために、カプセル６に対して公称の効果を有する。
【００７５】
第１又は第３実施形態のコード読み取り機構５４と、第１実施形態のカプセル移送機構６４との組み合わせを備えるカプセル処理ユニット１６はしたがって、作動装置ユニット１１２が第１方向に回転するときに、カプセル６のコードを読み取り、作動装置ユニット１１２が第２方向に回転するときに、カプセル６の抽出ユニット１４への移送を生じるように動作可能である。
【００７６】
カプセル移送機構６４の上記の第１実施形態は、様々な方法で適合され得る。例えば、移動可能なカプセル支持体６６は、カプセル支持体作動部材１２６の単一のアーム１２８又は１３０に接続された第１部分１４２のみを備え得る。更に、カプセル支持体作動部材１２６、又は他の好適な作動構成要素のアーム、又は各アーム１２８、１３０は、先の実施例におけるように枢動可能に移動可能なのではなく、本体２２に対して並進可能に移動可能であってもよい。並進移動は例えば、上記ガイド部材１５４のチャネルを線形に適合させ、接続部材を柔軟にすることにより作動部材駆動機構１３４をこれに対応するように適合させることによって達成することができる。
【００７７】
カプセル移送機構６４の第２実施形態において（図示されない）、カプセル移送機構６４は、第１実施形態のカプセル移送機構６４のものと同様の構成を備え、すなわちこれは、第１部分１４２及び第２部分１４４を有する移動可能なカプセル支持体６６と、第１アーム１２８及び第２アーム１３０（これらは本体２２に枢動可能に接続される）、トルク伝達手段１３２、付勢部材１５２、ガイド部材１５４を備えるカプセル支持体作動部材１２６有するカプセル支持体駆動機構１２４と、位置センサ１６６と、移動可能な支持体システム１５６とを備える。
【００７８】
しかしながら、作動部材駆動機構１３４は、歯車を備えるドライブトレーン１４６と、楔形部と、末端において本体２２にネジ接続された（例えば、中間部材を介して）ねじである、アクスルとを備える。歯車は軸線を回転可能に駆動し、これは、ネジ接続の結果として、アクスルの回転軸線に沿った、アクスルの線形移動を生じさせる。楔形部は、アクスルの基端に回転可能に取り付けられている。したがって、アクスルのいずれかの方向における回転は、楔形部の線形の反対の移動を生じさせる。楔形部は、これが上記アームの枢動を生じるように、カプセル支持体作動部材１２６のアーム１２８、１３０の一方と係合するように構成されている。上記アームは、付勢部材１５２により、付勢されて楔形部と接触することができる。楔形部の第１方向の移動は、移動可能なカプセル支持体６６の、カプセル支持位置からカプセル移送位置への移動を生じることができ、楔形部の第２の反対方向の移動は、移動可能なカプセル支持体６６の、カプセル移送位置からカプセル支持位置への移動を生じることができる。作動部材駆動機構１３４は、コード読み取りシステム５０により、カプセルのコードを読み取る間に、楔形部が第１方向に移動して、コード読み取りの後に、これが上記アームと係合してカプセルの移送を生じるように、構成されている。その後、楔形部の位置は、これを第２方向に移動させることによってリセットすることができる。
【００７９】
第２実施形態のカプセル移送機構６４を備えるカプセル処理ユニット１６は、第１又は第３実施形態のコード読み取り機構５４と組み合わされてもよい。このようなカプセル処理ユニットは、作動装置ユニット１１２が第１方向に回転するときに、カプセル６のコードを読み取り、作動装置ユニット１１２が第１方向に回転するときに、カプセル６の抽出ユニット１４への移送を生じるように動作可能である。
【００８０】
図３に示され、かつ第２又は第４実施形態のコード読み取り機構５４と共に使用するための、カプセル移送機構６４の第３実施形態において、カプセル移送機構６４は、カプセル支持チャネル１１６、及びカプセル作動部材１１４（上記のように、作動装置ユニット１１２によって駆動される）の形態の、移動可能なカプセル支持体及びカプセル支持体駆動機構を備える。特に、作動装置ユニット１１２は、カプセル挿入チャネル３６への移送を生じるように、カプセルを、カプセル支持チャネル１１６に沿って変位させるように動作可能である。第２実施形態のコード読み取り機構５４において、カプセルの変位は、コードの読み取り及び移送を含む。第４実施形態のコード読み取り機構５４により、カプセル作動部材１１４は、移送がコード読み取りの前に行われるように構成されている。すなわち、カプセル作動部材１１４は最初にコードリーダ５２と係合してコード読み取りを生じ、その後カプセルと係合して、その変位及び移送を生じさせるように構成されている。
【００８１】
第２又は第４実施形態のコード読み取り機構５４と、第３実施形態のカプセル移送機構６４との組み合わせを備えるカプセル処理ユニット１６はしたがって、作動装置ユニット１１２が第１方向に並進するときに、カプセル６のコードを読み取り、作動装置ユニット１１２が第１方向に並進するときに、カプセル６の抽出ユニット１４への移送を生じさせるように動作可能である。上記組み合わせはまた、作動装置ユニット１１２が第１方向に並進するときに、カプセル６のコードを読み取り、作動装置ユニット１１２が第２方向に並進するときに、カプセル６の抽出ユニット１４への移送を生じるように動作可能となるように適合されてもよい。例えば、カプセル作動部材１１４は、カプセル６の両縁部の周囲に延び、これによって、カプセル作動部材はカプセルをカプセル支持チャネル１１６に沿って押し引きしてもよく、カプセルは、カプセル挿入チャネル３６の上に配置されるときに、カプセル作動部材１１４により落ちることができる。適合された実施例はまた、往復運動によるコードの読み取りを可能にする。
【００８２】
カプセル移送機構６４の第４実施形態（図示されない）において、移動可能なカプセル支持体６６は、カプセル支持位置とカプセル移送位置との間で移動するように、カプセル回転軸線を中心に、回転するように駆動される。より具体的に、移動可能なカプセル支持体６６は、双方とも回転軸線を中心に回転可能であるように支持体に取り付けられた、２つの部分から形成されている。第１部分は回転運動を受け取り、かつトルク伝達手段（これは、第１実施形態カプセル移送機構６４のトルク伝達手段を備え得る）によって回転移動を伝達する。カプセル支持位置からカプセル移送位置へと移動するため、第１部分及び第２部分は、カプセル回転軸線を中心に反対方向に分離され、これにより、第１及び第２部分によって支持されるカプセルが、その間の空隙を通じて移送される。この構成を備える移動可能なカプセル支持体６６は、国際特許公報２０１４／０５６６４２号に詳細に開示されており、これは本明細書において参照として組み込まれる。上記移動可能なカプセル支持体は、ドライブトレーンを備えるカプセル支持体駆動機構によって駆動される。
【００８３】
第４実施形態のカプセル移送機構６４は、第１又は第３実施形態のコード読み取り機構５４と組み合わされてもよい。移動可能なカプセル支持体の、コード読み取り機構５４のカプセル回転駆動部材（又はコードリーダ回転駆動部材）に対する回転移動は、ドライブトレーンによって減速され、これにより移動可能なカプセル支持体がカプセル移送位置へと徐々に移動するにあたってコードが最初に読まれる。このような組み合わせは、作動装置ユニットの動作に対して、第２実施形態カプセル移送機構６４と同様の動作を有し、すなわち、作動装置ユニット１１２が第１方向に回転するときに、カプセル６のコードを読み取り、作動装置ユニット１１２が第２方向に回転するときに、カプセル６の抽出ユニット１４への移送を生じるようになっている。
【００８４】
作動装置ユニット１１２がここで考察され、作動装置ユニット１１２は線形作動装置（例えば、ソレノイド）、又は回転作動装置（例えば、電気により動作するモーター）を備え得る。更に、作動装置ユニット１１２は例えば、線形、又は回転運動のいずれかに適合され得、例えば、線形作動装置は、クランク、及び線形作動装置により駆動される接続ロッドによる、回転移動に適合されており、回転作動装置は、接続ロッド及び回転作動装置によって駆動されるクランクによる、線形移動に適合されている。
【００８５】
カプセル処理ユニットのカプセル検出システム
ここでカプセル検出システムが考察され、カプセル検出システムは、カプセル支持体上の、（すなわち、カプセル移送機構６４の第１実施形態の）移動可能なカプセル支持体６６上の、（カプセル移送機構６４の第３実施形態の）カプセル支持チャネル１１６上の、カプセル６の存在、及び任意により種類を検出するように動作可能である。簡潔さのため、カプセル検出システムは、カプセル移送機構６４の第１実施形態に関して記載されるが、同様のシステムが、カプセル移送機構６４の第２、第３、及び第４実施形態と組み合わせられ得ることが、理解される。カプセル検出システムは、これに近接するカプセルの存在を検出するための１つ以上のセンサを備える。好ましい実施例において、センサは誘導性センサであるが、これらは、光学センサなど、他のセンサを含んでもよい。更に、コードリーダ５２自体がセンサとして動作してもよい。
【００８６】
好ましい実施形態において、カプセル検出システムは、フランジ、蓋、又は本体などのカプセルの一部の存在を検出するように動作可能である第１センサ構成と、カプセルの一部分（例えば、本体部分）の特定の長さなど、カプセルの形状特性を検出するように動作可能な第２センサ構成とを備え、形状特性は、カプセル種類を特定するために使用され得る。第１及び第２センサ構成の両方が、飲料調製マシン４の構成要素に動作可能に接続された、１つ以上のセンサを備え得る。誘導性センサの場合、複数のセンサの構成が、直列に接続されてもよい。
【００８７】
図１０を参照すると、このようなカプセル検出システム１７０の実施形態の一実施例が示されており、第１センサ構成は、センサ１７２ａ、１７２ｂを備え、第２センサ構成はセンサ１７２ｃを備える。センサ１７２ａ、及び１７２ｂは、移動可能なカプセル支持体６６上に、及びより具体的には、その第１部分１４２及び第２部分１４４の本体支持部分上に構成されている。このように、センサ１７２ａ、及び１７２ｂは、移動可能なカプセル支持体６６上に配置されたカプセルの本体の側壁の存在を検出するように動作可能である。センサ１７２ｃは、飲料調製マシン４の本体２２（例えば、中間部材を介して）に接続され、カプセル６の本体の基部に隣接するように構成される。このように、センサ１７２ｃは、カプセル６が移動可能なカプセル支持体６６上に配置されるときに、カプセル６の本体の基部がこれに近接しているのを検出するように動作可能である。
【００８８】
カプセル６の一部分（この場合は本体）の存在を検出するために、複数のセンサ８（例えば、１７２ａ、１７２ｂ）を有することは有利であるがこれは、この部分が変形してその存在が単一のセンサでは正確に検出できない場合があるためである。
【００８９】
例示される実施例において、コードリーダ５２は、カプセル６の本体の基部上に配置されたコードを読み取るように構成され、例示される実施例は、コードリーダ５２がまた、第２センサ構成、又はその一部として機能するように適合されてもよい。
【００９０】
第１センサ構成は、カプセルが存在しているかどうかを、又はより具体的には、誘導性センサが使用されているときには、金属製カプセルが存在しているかどうかを決定するために使用され得、第２センサ構成は、カプセルの本体部分の長さ、又はより具体的には、誘電性センサが使用されるときには金属製本体部分の長さを判定し、検出されるカプセルの様々な種類を判定するために使用され得る。誘導性センサに関し、カプセル検出及び識別プログラム１７６、処理ユニット７０のカプセル処理プログラム１７４は、以下のプログラムコード（又はプログラムされた論理）を備え得る。第１センサ構成からの信号がカプセルを示す場合、第２センサ構成からの信号を処理し、そうでなければカプセルが存在しない（又は非金属製のカプセルである）。第２センサ構成からの信号がカプセルを示す場合、第１種類のカプセルが検出され、そうでない場合は第２種類のカプセルが検出される。
【００９１】
カプセル検出及び識別プログラム１７６により判定されるカプセルの種類及び／又は存在に応じて、処理ユニット７０のカプセル処理プログラム１７４は、コード読み取りシステム５０を使用したカプセル６のコードの読み取り、及び／又はカプセル移送機構６４を使用してカプセルの抽出ユニット１４への移送を生じるためのプログラムコード（又はプログラムされた論理）を備え得る。例えば、カプセル処理プログラム１７４は以下のプログラムコード（又はプログラムされた論理）を備え得る。第１種類のカプセルが検出されると、コード読み取りシステム５０を使用してコードが読み取られ、コードが適切に読み取られると、カプセル移送機構６４を使用して、抽出ユニット１４にカプセルが移送される。あるいは、第２種類のカプセルが検出されると、カプセル移送機構６４を使用して、カプセルが抽出ユニット１４に移送され、検出されない場合、カプセルが検出されないか、不適切なカプセルが検出される。
【００９２】
コントロールシステム
図１及び図１１を参照し、制御システム１８がここで考察される。制御システム１８は、１つ以上の原材料をカプセル６から抽出するように、他の第１レベルの構成要素を制御するように動作可能である。制御システム１８は典型的には、飲料調製マシン４の第２レベルにおいて、ユーザインターフェース６８と、処理ユニット７０と、メモリユニット７２と、１つ以上のセンサ５６とを備え、これらは以下に記載される。
【００９３】
ユーザインターフェース６８は、ユーザからコマンドを受信し、実行のために処理ユニット７０にコマンドを送信するように動作可能である。コマンドは、例えば、抽出プロセスを実行する、及び／又は飲料調製マシン４の調製パラメータを調節するための命令を含む。ユーザインターフェース６８はまた、例えば、飲料調製マシンの状態に関する情報などの情報をユーザに提供し得る。この目的のため、ユーザインターフェース６８は、ＬＣＤディスプレイなどのディスプレイ、及び／又は選択キー若しくはディスプレイの静電容量式タッチスクリーンなどの選択手段を備え得る。
【００９４】
センサ５６、又は各センサ５６は、飲料調製マシン４の抽出プロセス及び／又は状態をモニタリングするために、処理ユニット７０に信号を送信するように動作可能である。センサは例えば、温度センサ、流量センサを備え得る。センサ５６に加えて、カプセル検出システム１７０の上記のセンサ１７２はまた、処理ユニット７０に信号を送信する。
【００９５】
処理ユニット７０は、典型的には、マイクロプロセッサ、又はマイクロコントローラなどの集積回路、として構成されたメモリ、入力及び出力システム構成要素を備える。処理ユニット７０は例えば、ユーザインターフェース６８からのコマンド、及び／又はセンサ５６、１７２の信号などの入力を受信し、メモリユニット７２に保存されるプログラムコード（又はプログラムされた論理）により入力を処理し、一般的には抽出プロセスである出力を供給するように動作可能であり、例えば、カプセル処理ユニット１６、水源１２、抽出ユニット１４の逐次的動作を備え得る。
【００９６】
メモリユニット７２は、プログラムコード及び任意によりデータの保存のためのものである。この目的のために、メモリユニットは典型的には、例えば、プログラムコード及び動作パラメータ保存のためのＥＰＲＯＭ、ＥＥＰＲＯＭ、又はＦｌａｓｈと、データ保存のための揮発性メモリ（ＲＡＭ）とを備える。メモリユニットは、別個の及び／又は一体の（例えば、半導体のダイの上）メモリを備え得る。処理ユニット７０は、制御ユニット及び論理演算ユニット、又はこれらを複数（すなわち、多数のプロセッサ）備えるものとして、理想化することができる。
【００９７】
処理ユニット７０は、他の好適な集積回路、例えば、ＡＳＩＣと、ＰＡＬ、ＣＰＬＤ、ＦＰＧＡ、ＰＳｏＣなどのプログラム可能な論理装置と、チップ上のシステム（ＳｏＣ）とを備え得る。このような装置において、適切である場合、上記のプログラムコードは、プログラムされた論理が想到され、又はプログラムされた論理を追加的に含んでもよい。
【００９８】
制御システムのメモリユニットに保存されるプログラム
図１１を参照し、メモリユニット７２に保存された命令は、それ自体が様々な他のサブプログラムを含む、主要飲料調製プログラム７４を含むものとして理想化され得る。飲料調製プログラム７４は、処理ユニット７０により実行されたときに、そこからカプセルの原材料を抽出するために、上記第１レベル構成要素の処理ユニット７０による制御を生じる、プログラムコードを備える。飲料調製プログラム７４は、ユーザインターフェース６８からの入力コマンド、及び／又はセンサからの信号（例えば、カプセル検出システム１７０のセンサからの信号）に応答して実行され得る。
【００９９】
飲料調製プログラム７４は、コードカプセル６上のエンコードされた抽出情報、並びに／又はメモリユニット７２にデータとして保存され得る、及び／若しくはユーザインターフェース６８を介して入力され得る他の情報を使用して、上記構成要素の制御を生じ得る。
【０１００】
ユーザによりカプセル支持体に供給されたカプセルを処理するためにカプセル処理ユニット１６を制御するため、飲料調製プログラム７４は、カプセル処理プログラム１７４を含むものとして理想化され得る。カプセル処理プログラム１７４は、すなわち、コードリーダ５２がコードを読み取るように、コード信号７８を供給するためにコード読み取りシステム５０を制御し、カプセルを抽出ユニット１４に移送するためにカプセル移送機構６４を制御するための、プログラムコード（又はプログラムされた論理）を備える。ユーザによりカプセル支持体に供給されるカプセルの種類を検出及び識別するために、処理プログラム１７４は、カプセル検出及び識別プログラム１７６を含むものとして理想化され得る。コード信号情報からの抽出情報をデコードするため、カプセル処理プログラム１７４は、コード処理プログラム７６を含むものとして理想化され得る。
【０１０１】
飲料調製システムのカプセル
カプセル６が以下に記載され、これは、抽出される原材料の投入量を保存するための空洞を画定する本体部分と、空洞を閉じるための蓋部分と、本体部分及びフランジ部分を接続するためのフランジ部分と、空洞基部の遠位に配置されているフランジ部分とを備える。本体部分は、ディスク、円錐形、又は断面が矩形である形状など、様々な形状を含み得る。カプセルは、金属、プラスチック、又はこれらの組み合わせなど、様々な材料で形成され得る。一般的に材料は、食品にとって安全であり、抽出プロセスの圧力／温度に耐えることができ、注入ヘッド３０の注入器４０の挿入が可能であるように穿孔可能であり、抽出された原材料を抽出壁部４６の出口４８へと供給するために破裂可能であるように、選択される。したがって、カプセル６は様々な形態をとることができ、そのうちの２つの実施例が以下に記載される。
【０１０２】
図１２は、抽出される原材料の投与量を受容するための円錐台形の空洞を備える本体部分８２と、本体部分の空洞を閉じるための蓋部分８４と、本体部分８２及び蓋部分８４を接続するためのフランジ部分８６とを備えるカプセル６の第１実施例の側断面図を示している。
【０１０３】
図１３は、抽出される原材料の投与量を受容するための半球状の空洞を備える本体部分８８と、本体部分の空洞を閉じるための蓋部分９０と、本体部分８８及び蓋部分９０を接続するためのフランジ部分９２とを備えるカプセル６の第２実施例の側断面図を示している。
【０１０４】
好ましくはカプセル６は、これが、フランジ部分８６、９２が位置する平面とほぼ垂直に延びるカプセル回転軸線１２０に関して実質的に回転対称である、形状である。
【０１０５】
カプセルのコード
カプセル６のコード９４が以下に記載される。最初に、カプセル上のコードの一般的な構成が記載される。コードは、カプセル６とコードリーダ５２が相対移動しているときに、コードがコードリーダ５２によって読み取られ得るように、カプセル６上に配置されている。
【０１０６】
コードは、第１又は第３実施形態のコード読み取り機構５４により読み取られるように配置されている場合、カプセルの回転軸線を中心に配置されている。図１４を参照し、コード９４のそのような実施例が示されており、コード９４は、カプセル６の本体部分８２、８８の空洞の基部に配置され、かつカプセル６がカプセル回転軸線１２０を中心に回転する間に、コード９４が読み取られ得るように、カプセル回転軸線１２０を中心として周辺方向に配置されている。第１又は第３実施形態のコード読み取り機構５４と適合可能なコード構成の他の実施例において、コードは、フランジ又は蓋部分８４、９２など、カプセルの他の部分上に配置され得る。
【０１０７】
コードは、第２又は第４実施形態のコード読み取り機構５４により読み取られるように配置されている場合、カプセルの軸線と位置合わせされるように配置される。例えば、コードは、カプセルの本体部分８２、８８上に配置され、回転軸線１２０と位置合わせされてもよい。
【０１０８】
コード９４は、カプセル上で一回、又は複数回（例えば、２〜６回）にわたって反復されていてもよく、コード９４の各反復は、本明細書においてはコード反復と称される。単一コード反復（a single code repetition）の場合、この反復は一度のみ読まれてもよく、又は好ましい実施形態では、単一反復コード９４は複数回読まれ、処理ユニット７０は、コードの読み取りが互いに対応していることをチェックする工程を行うように動作可能である。あるいは、コードが複数のコード反復を含む一実施例において、各コード反復は、一回、又は複数回読み取られてもよく、処理ユニット７０は、互いに対応するコードの読み取りのチェック工程を行うように動作可能である。
【０１０９】
コードの一般的な構成が以下に記載される。コードは好ましくは一連のマーカー９６で形成される。マーカー９６は、コードリーダ５２により提供されるコード信号７８における、マーカー９６（マーカー９６の不在との比較における）の識別を可能にする形状である。一般的に全てのマーカー９６は、これらがコードリーダ５２によって読まれたときに、ある特性（例えば、パルス）がコード信号７８内に提供されるように、実質的に同じ形状を含む。好ましい実施例において、マーカー９６はバーの形状であるが、これらは、正方形又は円形など、他の軽有情であってもよい。図１４の実施例において、マーカー９６は、バーの形状であり、カプセル回転軸線１２０に対して放射状に配置されている。
【０１１０】
マーカー９６は、例えば、エンボス加工（例えば、誘導性コードリーダ５２と共に使用するため）、又は印刷（例えば、光学コードリーダ５２と共に使用するため）など、様々な手段により、カプセル６上に形成され得る。図１４の実施例において、マーカー９６は、カプセル１４の本体部分８２、８８の金属部分上にエンボス加工することにより形成される。エンボス加工は、カプセルの表面と垂直に、いずれかの方向に延びるギザギザを含んでもよいことが理解される（すなわち、マーカー９６は、ギザギザの有無によって画定され得る）。更なる実施例において、マーカー９６は、カプセルの非金属部分、例えば、プラスチック部分上に、ここに金属層を適用することによって形成されてもよく、これにより金属層の有無がマーカーを画定する。更なる実施例において、マーカー９６は、インク印刷により形成されてもよく、印刷の有無はマーカーを画定する。
【０１１１】
マーカー９６の寸法は、カプセル６の寸法、及びコードリーダ５２の読み取りヘッドの分解能によって変化する。しかしながら、好ましい実施例において、バーの形態のマーカー９６は、以下の寸法を有する；深さ０．６ｍｍ〜０．２ｍｍ、好ましくは深さ０．４ｍｍ、カプセル半径の長さ１．５ｍｍ以上、好ましくは長さ２ｍｍ、幅１０ｍｍ〜０．４ｍｍ、好ましくは幅０．７ｍｍ。マーカー９６の間の間隔が以下に記載されるが、一般的には２〜０．５ｍｍの範囲内である。周辺方向に配置されたマーカー９６の場合、マーカー９６の間の間隔は、最大、最小、又は平均周辺方向間隔として定義され得る。
【０１１２】
マーカー９６は、抽出情報をエンコードするように構成されている。複数のマーカー９６は、データ９８をエンコードしてもよく、各隣接するマーカーは、抽出情報を少なくとも部分的にエンコードするための変数として特定の間隔を有する。このようなコードの例は、ＰＣＴ／ＥＰ１４／０５５５１０に開示され、これは本明細書において参照として組み込まれる。
【０１１３】
更なる実施形態において、コード９４は、バーコード、又は欧州特許第２５９４１７１  Ａ１号に開示される光学的に読み取り可能なコードを含むことがあり、これは本明細書において参照として組み込まれる。
【０１１４】
コードによりエンコードされた抽出情報は、カプセル及び／又は抽出プロセス中に使用され得るマシンの動作パラメータに関する。例えば、抽出情報は、以下の１つ以上をエンコードし得る：角速度／加速度（遠心処理により動作する抽出ユニット）、水温（カプセル入口及び／又はマシン出口）、水質量／体積流量、水体積、抽出動作の順序（例えば、予備湿潤の時間）、カプセルを再注文するためにカプセルの消費をモニタリングするために使用され得るカプセルパラメータ（体積、種類、カプセル識別子、消費期限）。
【符号の説明】
【０１１５】
２  飲料調製システム
４  飲料調製マシン
１０  ハウジング
２０  基部
２２  本体
１２  流体  供給源
２４  リザーバ
２６  流体ポンプ
２８  流体加熱器
１４  抽出ユニット
３０  注入ヘッド
４０  注入器
３２  カプセルホルダ
４２  空洞
４４  空洞基部
４６  抽出ユニット
４８  出口
３４  カプセルホルダ装填機構
３６  カプセル挿入チャネル
３８  カプセル放出チャネル
１６  カプセル処理ユニット
５０  コード読み取りシステム
５２  コードリーダ
７８  コード信号
５４  コード読み取り機構
６２  読み取りサイクルセンサ
５８  カプセル回転駆動部材
６０  ドライブトレーン
１１４  カプセル作動部材
１１６  カプセル支持チャネル
１７８  コードリーダ回転駆動部材
６４  カプセル移送機構
６６  移動可能なカプセル支持体
１４２  第１部分
１４４  第２部分
１２４  カプセル支持体駆動部材
１２６  カプセル支持体作動部材
１２８  第１アーム
基端（移動可能なカプセル支持体）
末端（トルク伝達手段）
１３０  第２アーム
基端（移動可能なカプセル支持体）
末端（トルク伝達手段）
１３２  トルク伝達手段
１５２  付勢部材
１５４  ガイド部材
１３４  作動部材駆動機構
１４６  ドライブトレーン
１４８  歯車
１５０  一方向クラッチ
１３６  接続部材
１３８  クランク
１６６  位置センサ
１５６  移動可能な支持体システム
１５８  移動可能な支持体
１６０  移動可能な支持体駆動部材
１６２  カム係合部材
１６４  カム付勢部材
１６８  カム
１１２  作動装置ユニット
１７０  カプセル検出システム
１７２  センサ
１８  コントロールシステム
６８  ユーザインターフェース
７０  処理ユニット
７２  メモリユニット
７４  飲料調製マシン
１７４  カプセル処理プログラム
７６  コード処理プログラム
１７６  カプセル検出及び識別プログラム
５６  センサ（温度、水位、注入ヘッド位置）
６  カプセル
１２０  カプセル回転軸線
８２  本体部分
９４  コード
９６  マーカー
９８  データ
８４  蓋部分
８６  フランジ部分
８８  本体部分
９０  蓋部分
９２  フランジ部分
８  容器
【図１】
0006721522.tif 000002
【図２】
0006721522.tif 000003
【図３】
0006721522.tif 000004
【図４】
0006721522.tif 000005
【図５】
0006721522.tif 000006
【図６】
0006721522.tif 000007
【図７】
0006721522.tif 000008
【図８】
0006721522.tif 000009
【図９】
0006721522.tif 000010
【図１０】
0006721522.tif 000011
【図１１】
0006721522.tif 000012
【図１２】
0006721522.tif 000013
【図１３】
0006721522.tif 000014
【図１４】
0006721522.tif 000015